(57)【要約】【課題】暖を取る機能と収納機能とを有する上、接続インターフェースの互換性が高く、接続インターフェースのプラグ受けに対応した電源と電気的に接続させることができる発熱装置を提供する。【解決手段】発熱装置は、本体１、接続部材５及び発熱ユニット２を備える。本体１は、被覆部１０及び後蓋部１１を有する。被覆部１０の縁部と後蓋部１１の縁部とにより開口１０００が協働で画成される。被覆部１０と後蓋部１１とによって囲まれて収納室１１００が画成される。収納室１１００は、開口１０００を介して外部と連通する。接続部材５は、開口１０００の縁部に配置される。発熱ユニット２は、被覆部１０の内部に配置される発熱本体２０と、収納室１１００に収納される接続インターフェース２１とを含む。【選択図】図１
0003180465.tif 000002
【実用新案登録請求の範囲】
【請求項１】
本体、接続部材及び発熱ユニットを備えた発熱装置であって、
前記本体は、被覆部及び後蓋部を有し、前記被覆部の縁部と前記後蓋部の縁部とにより開口が協働で画成され、前記被覆部と前記後蓋部とによって囲まれて収納室が画成され、前記収納室は、前記開口を介して外部と連通し、
前記接続部材は、前記開口の縁部に配置され、
前記発熱ユニットは、前記被覆部の内部に配置される発熱本体と、前記収納室に収納される接続インターフェースと、を含むことを特徴とする発熱装置。
【請求項２】
前記被覆部は、断熱層及び第１の熱伝導層を含み、
前記発熱本体は、前記断熱層と前記第１の熱伝導層との間に配置され、
前記断熱層は、前記発熱本体から発生した熱を前記収納室へ伝導させることを特徴とする請求項１に記載の発熱装置。
【請求項３】
前記被覆部は、前記第１の熱伝導層の側面に、前記発熱本体と表裏の関係で形成された第２の熱伝導層を含むことを特徴とする請求項２に記載の発熱装置。
【請求項４】
前記被覆部の外壁に設けられた電源ランプをさらに備えることを特徴とする請求項３に記載の発熱装置。
【請求項５】
前記接続インターフェースのプラグ受けに対応するとともに、前記接続インターフェースと電気的に接続された電源をさらに備えることを特徴とする請求項４に記載の発熱装置。
【請求項６】
前記本体は、前記後蓋部の内側に設けられ、前記収納室に収納された前記電源を位置決めする固定部材を含むことを特徴とする請求項５に記載の発熱装置。
【請求項７】
前記被覆部の内壁には、前記接続インターフェースを収納する収納槽が設けられることを特徴とする請求項４に記載の発熱装置。
【請求項８】
前記本体は、前記収納室の内壁にそれぞれ設けられた緩衝部材を含むことを特徴とする請求項６に記載の発熱装置。
【請求項９】
前記本体は、前記被覆部の内側に設けられて協働で前記収納室を画設するサンドイッチ層を含み、
前記接続インターフェースは、前記収納室に収納されるケーブルを含むことを特徴とする請求項８に記載の発熱装置。
【請求項１０】
前記本体は、前記後蓋部に取り付けられた接続リングを有することを特徴とする請求項９に記載の発熱装置。
【考案の詳細な説明】
【技術分野】
【０００１】
本考案は、発熱装置に関し、特に、収納機能を有する発熱装置に関する。
【背景技術】
【０００２】
近年、地球温暖化に伴い台湾の冬は以前ほど寒くはなくなってきているが、寒波が次々に襲ってくる季節になると人々は寒さに耐えられなくなり、コンビニエンスストアで販売されている使い捨てカイロが沢山売れて品不足となるほどである。しかし、使い捨てカイロは、使い捨てである上、発熱が数時間しか持続せず、外に置いておくと温度が急速に下がって使えなくなる虞がある。
【０００３】
従来市販されているカイロには、使い捨てカイロの他に電池式カイロがある。この電池式カイロは充電により再利用が可能である。しかし、この電池式カイロは、発熱して暖を取る機能しかなく、収納空間を有さず携帯に不便であった。
【０００４】
そのため、収納空間を有する上、携帯にも便利な発熱装置が求められていた。
【考案の概要】
【考案が解決しようとする課題】
【０００５】
そのため、本考案の目的は、収納空間を有する上、携帯にも便利な発熱装置を提供することにある。
【課題を解決するための手段】
【０００６】
上記課題を解決するために、本考案の第１の形態によれば、本体、接続部材及び発熱ユニットを備えた発熱装置であって、前記本体は、被覆部及び後蓋部を有し、前記被覆部の縁部と前記後蓋部の縁部とにより開口が協働で画成され、前記被覆部と前記後蓋部とによって囲まれて収納室が画成され、前記収納室は、前記開口を介して外部と連通し、前記接続部材は、前記開口の縁部に配置され、前記発熱ユニットは、前記被覆部の内部に配置される発熱本体と、前記収納室に収納される接続インターフェースと、を含むことを特徴とする発熱装置が提供される。
【０００７】
前記被覆部は、断熱層及び第１の熱伝導層を含み、前記発熱本体は、前記断熱層と前記第１の熱伝導層との間に配置され、前記断熱層は、前記発熱本体から発生した熱を前記収納室へ伝導させることが好ましい。
【０００８】
前記被覆部は、前記第１の熱伝導層の側面に、前記発熱本体と表裏の関係で形成された第２の熱伝導層を含むことが好ましい。
【０００９】
前記被覆部の外壁に設けられた電源ランプをさらに備えることが好ましい。
【００１０】
前記接続インターフェースのプラグ受けに対応するとともに、前記接続インターフェースと電気的に接続された電源をさらに備えることが好ましい。
【００１１】
前記本体は、前記後蓋部の内側に設けられ、前記収納室に収納された前記電源を位置決めする固定部材を含むことが好ましい。
【００１２】
前記被覆部の内壁には、前記接続インターフェースを収納する収納槽が設けられることが好ましい。
【００１３】
前記本体は、前記収納室の内壁にそれぞれ設けられた緩衝部材を含むことが好ましい。
【００１４】
前記本体は、前記被覆部の内側に設けられて協働で前記収納室を画設するサンドイッチ層を含み、前記接続インターフェースは、前記収納室に収納されるケーブルを含むことが好ましい。
【００１５】
前記本体は、前記後蓋部に取り付けられた接続リングを有することが好ましい。
【考案の効果】
【００１６】
本考案の発熱装置は、暖を取る機能と収納機能とを有する上、接続インターフェースの互換性が高く、接続インターフェースのプラグ受けに対応した電源と電気的に接続させることができる。
【図面の簡単な説明】
【００１７】
【図１】図１は、本考案の一実施形態に係る発熱装置を示す斜視図である。
【図２】図２は、本考案の一実施形態に係る発熱装置の別の角度からの斜視図である。
【図３】図３は、本考案の一実施形態に係る発熱装置の被覆部を示す部分拡大図である。
【図４】図４は、本考案の一実施形態に係る発熱装置の使用図である。
【考案を実施するための形態】
【００１８】
以下、本考案の実施形態について図に基づいて説明する。なお、これによって本考案が限定されるものではない。
【００１９】
図１を参照する。図１は、本考案の一実施形態に係る発熱装置を示す斜視図である。発熱装置は、少なくとも本体１、発熱ユニット２、電源ランプ３、電源４及び接続部材５から構成される。
【００２０】
図１、図２及び図４を参照する。図２は、本考案の一実施形態に係る発熱装置の別の角度からの斜視図である。図４は、本考案の一実施形態に係る発熱装置の使用図である。図１、図２及び図４に示すように、本体１は、布からなり、衣服のポケットへ入れることができる寸法を有するが、材料及び寸法はこれだけに限定されるわけではない。
【００２１】
本体１は、略矩形状である上、被覆部１０、後蓋部１１、接続リング１２、サンドイッチ部材１３、緩衝部材１４、位置規制部材１５及び固定部材１６を含む。
【００２２】
図１を参照する。図１に示すように、被覆部１０及び後蓋部１１は、底壁１００，１１０と、それぞれ内向きに底壁１００，１１０に延設された環状側壁１０１，１１１と、を含む。
【００２３】
図２を参照する。図２に示すように、被覆部１０の環状側壁１０１と後蓋部１１の環状側壁１１１とは接続されている。被覆部１０の底壁１００の内側には、接続インターフェース２１の外形に対応した形状を有する収納槽１００２が形成されている。本実施形態の底壁１１０は、電源４に掻き傷を発生させないために、軟質の布（例えば、織編物又は不織布）からなる。
【００２４】
図１及び図２を参照する。図１及び図２に示すように、被覆部１０と後蓋部１１との互いに隣接した側部の縁部により、開口１０００が画成される。また、被覆部１０と後蓋部１１との互いに隣接した側部の凹みにより、収納室１１００が画成される。
【００２５】
開口１０００を開くと、収納室１１００が外部に連通し、収納室１１００内に電源４が収納される。開口１０００が閉まると収納室１１００が密封空間となり、収納室１１００内に収納した電源４を適宜保護することができる。
【００２６】
図２を再び参照する。図２に示すように、接続リング１２は、後蓋部１１の底壁１１０の外側面に取り付けられる。接続リング１２は、金属リングであり、後蓋部１１の底壁１１０（図１参照）に貫設される。ユーザは、接続リング１２へ掛紐（図示せず）を通して使用することができる。しかし、接続リング１２には、その他接続媒体を使用してもよく、接続リング１２の形式及び材料はこれだけに限定されるわけではない。
【００２７】
図２を参照する。図２に示すように、サンドイッチ部材１３は、布からなり、被覆部１０の底壁１００内側に３つの縁部が縫着される。収納室１３００は、サンドイッチ部材１３と被覆部１０の底壁１００とによって囲まれて画成されるとともに、収納室１１００と連通する。
【００２８】
図１を参照する。図１に示すように、緩衝部材１４は、被覆部１０及び後蓋部１１の環状側壁１０１，１１１の内側にそれぞれ配置される。緩衝部材１４は略環状である。本実施形態の緩衝部材１４は、スポンジであるが、これだけに限定されるわけではなく、収納室１１００に収納した物に加わる衝撃を和らげることができる他の軟質材料を用いてもよい。
【００２９】
図２を参照する。図２に示すように、位置規制部材１５は、被覆部１０及び後蓋部１１にそれぞれ接続される。開口１０００に力を加えて開く際、位置規制部材１５により被覆部１０の底壁１００と後蓋部１１の底壁１１０との間隔が位置決めされる。
【００３０】
図１を参照する。図１に示すように、固定部材１６は、後蓋部１１の底壁１１０内側に配置される。本実施形態の固定部材１６は、弾性結束バンドであるが、これだけに限定されるわけではなく、面ファスナでもよい。固定部材１６は、電源４を固定部材１６と後蓋部１１との間に位置決めし、収納室１１００に収納された電源４を固定するために用いる。
【００３１】
図３を参照する。図３は、本考案の一実施形態に係る発熱装置の被覆部を示す部分拡大図である。図３に示すように、図１の被覆部１０は、第１の熱伝導層１０２、第２の熱伝導層１０３及び断熱層１０４を含む。第２の熱伝導層１０３と断熱層１０４とは、第１の熱伝導層１０２に表裏の関係でそれぞれ形成される。
【００３２】
本実施形態の第１の熱伝導層１０２は、７０℃の耐熱温度を有し、熱伝導率が高い防水布からなる。第２の熱伝導層１０３は、５０℃の耐熱温度を有し、熱伝導率が第１の熱伝導層１０２より劣る防水布からなる。第１の熱伝導層１０２と第２の熱伝導層１０３との相違点は、第２の熱伝導層１０３が柔軟で肌触りが良い材料からなる点である。また、断熱層１０４は、１２０℃の耐熱温度を有し、熱伝導率が低い布からなる。しかし第１の熱伝導層１０２、第２の熱伝導層１０３及び断熱層１０４の材料はこれらだけに限定されるわけではなく、他の材料からなってもよい。
【００３３】
図２を参照する。図２に示すように、本実施形態の接続部材５は、スライダ５０及び務歯５１を含む。務歯５１は、被覆部１０及び後蓋部１１の周縁に設けられ、スライダ５０により開口１０００を自在に開閉することができる。接続部材５には、面ファスナ、ボタンなどを使用してもよいが、これらだけに限定されるわけではない。
【００３４】
図１及び図３を参照する。図１及び図３に示すように、発熱ユニット２は、発熱本体２０及び接続インターフェース２１を含む。発熱本体２０は、略矩形状の板体であり、第１の熱伝導層１０２と断熱層１０４との間に配置される。
【００３５】
さらに詳細には、発熱本体２０のパワーは、約３〜４ワットである。発熱本体２０から発生された熱は、第１の熱伝導層１０２及び第２の熱伝導層１０３を通った後、第２の熱伝導層１０３の外側表面温度が約４５℃（誤差値＜５℃）となる。断熱層１０４は、発熱本体２０から収納室１１００（図１参照）へ熱が伝導して、収納室１１００に収納した電源４の温度が高くなることを防ぐために用いる。
【００３６】
図１及び図２を参照する。図１及び図２に示すように、接続インターフェース２１は、プラグ（図示せず）のケーブル２１０を含む。本実施形態のプラグは、ＵＳＢ、Ｍｉｎｉ−ＵＳＢ又はＭｉｃｒｏ−ＵＳＢの形式を含むが、これらだけに限定されるわけではなく、他の形式でもよい。
【００３７】
ケーブル２１０は、一方の端部がプラグと電気的に接続され、他方の端部が発熱本体２０と電気的に接続される。プラグは、収納槽１００２に収納することができる。収納室１３００には、ケーブル２１０が収納されるが、これだけに限定されるわけではなく、他の線材を収納してもよい。
【００３８】
図１を参照する。図１に示すように、電源ランプ３は、矩形状であり、被覆部１０の環状側壁１０１の外側面に設けられるとともに、ケーブルと電気的に接続される。
【００３９】
また、本実施形態の電源ランプ３は、発光ダイオード（ＬＥＤ）を光源として用い、ＬＥＤの数は特に限定されない。電源ランプ３は、電気的に導通すると発光し、電気的に導通しないと発光しない。電源ランプ３の形式はこれだけに限定されない。
【００４０】
図１を再び参照する。図１に示すように、電源４は、携帯電話、携帯電源、ＭＰ３プレーヤ、デジタルカメラなど、接続インターフェース２１のプラグ受けに対応して十分な電圧により電源を供給して発熱本体２０を駆動させる。本実施形態の電源４は、携帯電源であるが、これだけに限定されるわけではない。また、ユーザが電源４と接続インターフェース２１とを電気的に接続させると、本考案の発熱装置を電源４の収納袋として使用することができる。
【００４１】
本考案の発熱装置は、以下（１）及び（２）の長所を有する。
（１）暖を取る機能と収納する機能とを備える上、接続インターフェースの互換性が高いため、発熱装置と多種類の外付け電源とを接続することができ、拡張性が高い。
（２）発熱本体から発生した熱により電源が故障してしまうことを断熱層により防ぐ。また、ユーザが発熱本体に触って火傷することを第１の熱伝導層及び第２の熱伝導層により防いで安全性を高める。
【００４２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００４３】
１  本体 
２  発熱ユニット
３  電源ランプ
４  電源
５  接続部材
１０  被覆部
１１  後蓋部
１２  接続リング
１３  サンドイッチ部材
１４  緩衝部材
１５  位置規制部材
１６  固定部材
２０  発熱本体
２１  接続インターフェース
５０  スライダ
５１  務歯
１００  底壁
１０１  環状側壁
１０２  第１の熱伝導層
１０３  第２の熱伝導層
１０４  断熱層
１１０  底壁
１１１  環状側壁
２１０  ケーブル
１０００  開口 
１００２  収納槽
１１００  収納室
１３００  収納室
【図１】
0003180465.tif 000003
【図２】
0003180465.tif 000004
【図３】
0003180465.tif 000005
【図４】
0003180465.tif 000006